(57)【要約】【課題】  調味料等を入れ、開口しやすく、飛び散らないよう内容物を一方向に出しやすい袋を提供する。【解決手段】  調味料袋１は、フィルムが折り返されてできた折返し辺２ａと、フィルム同士が接合されてできた接合辺３ａとを含む密閉空間を、内容物の収容部２としている。折返し辺２ａに隣接する接合辺３ａを形成する接合部３に、当該折返し辺２ａに向けて斜めに切込み４を設けている。調味料袋１の素材はポリエチレン（ＰＥ）などとするのが好ましく、ＰＰ（ポリプロピレン）とＰＡ（ナイロン）の複合素材などは適していない。【選択図】      図１
0003137369.tif 000002
【実用新案登録請求の範囲】
【請求項１】
フィルムが折り返されてできた折返し辺とフィルム同士が接合されてできた接合辺とを含む密閉空間を内容物の収容部とする袋であって、
折返し辺に隣接する接合辺を形成する接合部に、当該折返し辺に向けて斜めに切込みが設けられていることを特徴とする、内容物が飛び散らない袋。
【請求項２】
上記の切込みから、その切込みの延長線に沿って真っ直ぐシートが切り裂かれるとき、内容物の収容部である上記密閉空間の一部が、平面形状において略二等辺三角形をなすように切り取られることを特徴とする請求項１に記載した内容物が飛び散らない袋。
【請求項３】
上記切込みと接合辺とのなす角度が２０〜７０°であることを特徴とする請求項１または２に記載した内容物が飛び散らない袋。
【請求項４】
切込みが設けられた上記の接合辺とその切込みの延長線上にある折返し辺とが略直角をなしていて、その切込みと接合辺とのなす角度が４５°であることを特徴とする請求項１〜３のいずれかに記載した内容物が飛び散らない袋。
【請求項５】
上記のフィルムが、ＰＥ、ＰＥとＰＡ、ＰＥとＰＥＴ、ＰＥとＰＥＴとＰＡ、ＰＥとＰＥＴとＭ、ＰＥとＭ、ＰＥとＭとＰＥＴのいずれかであることを特徴とする請求項１〜４のいずれかに記載した内容物が飛び散らない袋。
【考案の詳細な説明】
【技術分野】
【０００１】
請求項に係る考案は、ソースや辛子などを入れた袋に関し、特に、開口しやすく、飛び散らないよう内容物を一方向に出しやすい袋に関する。
【背景技術】
【０００２】
弁当などに添付される調味料は、ポリエチレンなどのシートが、たとえば特許文献１に記載の容器のように袋状に形成され、その中に密封されている。
図６(ａ)に示すように、特許文献１に記載された容器１’は、収容部２’に内容物（調味料）を入れるとともに所定長離れたところを圧着接合し、隣接する容器１’との間に、切り離し可能なＶ型突起（鋸歯状の切れ目）３’を設けている。図６（ｂ）のように容器１’を個々に切り離したうえ、Ｖ型突起３’の任意の場所を手で切り裂いて袋を押せば、内容物を取り出すことができる。
【０００３】
このほか、図７(ａ)のように、二つ折りにしたシートの三辺を圧着接合して収容部２’内に内容物を密封した容器１１’もある。容器１１’の圧着部（接合部）１３’には、任意の場所で辺に平行に切り裂くことができるよう、辺に直角（別の辺に平行）な向きで切込み４’が設けられていることが多い。
【特許文献１】特開２００１−２２５８６５号公報
【考案の開示】
【考案が解決しようとする課題】
【０００４】
上述した容器１’や容器１１’の場合、切り裂く方向が容器の辺に平行になるように、Ｖ型突起３’や切込み４’が設けられている。対向する辺まで、手指によって真っ直ぐに切り裂くことができればよいが、途中で、図６(ｂ)のように切り口５’がそれて、切り取った部分が細長い三角形になってしまうことが多い。このような切り口になると、内容物の両端が収容部２’から押し出される角度に大きな差が生じて、内容物が思わぬ方向に飛び散ってしまいがちである。
また、容器１１’の場合には、図７(ｂ)のように、それた切り口１５’が、切込み４’のある圧着部（接合部）１３’とは別の圧着部１３’のところで止まってしまうことがある。それぞれの圧着部１３’はシートが２枚重ねられていて強度があるためである。こうして切り取れなかった部分が残り、切り口１５’の一端にそれが付いていると、内容物の流れが影響を受け、意図しない方向に内容物が出る原因になる。
対向する辺まで切り裂くことができた場合でも、図７(ｃ)のように、２枚のシートが別々の方向に切り裂かれたり、切り口１５”がギザギザになってしまうことがある。このような場合にも、内容物が思わぬ方向に飛び出してしまうことが多い。
以上によって内容物が飛び散ると、手や衣服、テーブルなど、周囲を汚してしまうという不都合をまねく。
【０００５】
これらの点を考慮し、請求項の考案は、開口しやすく、飛び散らないよう内容物を一定方向に出しやすい袋を提供することを目的とする。
【課題を解決するための手段】
【０００６】
上記課題を解決するため、請求項の考案に係る内容物が飛び散らない袋は、フィルムが折り返されてできた折返し辺とフィルム同士が接合されてできた接合辺とを含む密閉空間を内容物の収容部とする袋であって、折返し辺に隣接する接合辺を形成する接合部に、当該折返し辺に向けて斜めに（つまり接合辺と直角ではない方向に）切込みが設けられていることを特徴とする。
【０００７】
発明者の調査によると、袋から内容物（調味料等）を出すとき袋を押して意図した方向に内容物を出しやすいのは、つぎのような条件が満たされる場合である。すなわち、a)真っ直ぐで短い切り口によって収容部の一部を切り落とすことができ、b)切り口がほぼ左右対称でその両端からの内容物の出方に差が生じないこと、である。
請求項に記載した、内容物が飛び散らない袋であれば、接合部（接合辺）に設けられた切込みから折返し辺に向けて斜めに収容部を切り落とすことができる。いずれかの辺と平行に切り裂く場合に比べて、切り落とすための切り口の長さが短くてすみ、またそのために、切込みの延長線上から切り口がそれたりギザギザになったりする恐れが少ない。収容部を斜めに切り落とすことから、左右対称に近い切り口が形成されやすいことにもなる。しかも、切り裂く先が上記の折返し辺で終わる（切り口が再び接合部を経由することがない）ので、最後まで抵抗なく切り裂き、真っ直ぐな切り口で収容部の一部を切り落とすことが可能である。その結果、収容されている内容物を押し出したとき、不揃いな切り口や切り離しそこねた部分に影響を受けることなく、内容物を一定方向に出しやすい。
こうした袋は、切込みを斜めに入れただけでほかに特別な構成要素はないため、簡単かつ安価に製造できる。
なお、請求項２の袋のように、上記の切込みからその切込みの延長線に沿って（つまり上記した斜めの方向に）真っ直ぐにシートが切り裂かれるとき、内容物の収容部である上記密閉空間の一部が、平面形状において略二等辺三角形をなすように切り取られるものであれば、とくに好ましい。略二等辺三角形をなすように一部が切り取られると、その切り口がほぼ左右対称となり、両端からの内容物の出方に差が生じ難くなり、内容物の出方が安定的になるからである。
【０００８】
請求項３に記載した袋のように、上記切込みと接合辺（とくに接合部の内側縁）とのなす角度が２０°以上・７０°以下であることが好ましい。
とりわけ、請求項４に記載の袋のように、切込みが設けられた上記の接合辺とその切込みの延長線上にある折返し辺とが略直角をなしていて、その切込みと接合辺（とくに接合部の内側縁）とのなす角度が４５°であるのがよい。
【０００９】
切込みと接合辺とのなす角度が２０〜７０°であれば、その切込みに沿って袋を引き裂くとき、真っ直ぐで短い切り口によって収容部の一部を切り落とすことができる。また、接合辺と折返し辺とにできる切り口の両端が左右対称に近いものとなり、切り口の両端からの内容物の出方に差が生じにくくなる。そのために前記a)・b)の条件が満たされ、使用者の意図した方向に内容物が出されやすい。
とくに、切込みが設けられた接合辺と隣接の折返し辺とが略直角であって、その切込みと接合辺との角度が４５°（４０〜５０°程度）であるなら、収容部の一部が直角二等辺三角形をなすよう切り取られて、切り口の両端が左右対称になる。それにより内容物の出方がとくに安定的になり、切り口に対してほぼ直角に内容物が出るようになる。
【００１０】
請求項５に記載の袋は、フィルムが、ＰＥ(ポリエチレン)、ＰＥとＰＡ（ナイロン）（の複合素材）、ＰＥとＰＥＴ(ポリエチレンテレフタレート)（の複合素材）、ＰＥとＰＥＴとＰＡ（の複合素材）、ＰＥとＰＥＴとＭ(アルミなどの金属類)（の複合素材）、ＰＥとＭ（の複合素材）、またはＰＥとＭとＰＥＴ（の複合素材）――のいずれかであることを特徴とする。
このような袋であれば、はさみ等を使わなくとも、手指によって切り裂くときフィルムが真っ直ぐに切れやすく、きれいな切り口が得られる。そのため、内容物が思わぬ方向に飛び散るのをさらに防止しやすい。なお、上記と違ってＰＰ（ポリプロピレン）とＰＡとの複合素材などは、延性が高いために切り口が伸びやすく、手指のみを使って真っ直ぐな切り口とすることは容易でない。
【考案の効果】
【００１１】
請求項に記載した、内容物が飛び散らない袋では、真っ直ぐで短い切り口によって収容部の一部を容易に切り落とすことができ、しかも、切り口をほぼ左右対称にすることができて両端からの内容物の出方に差が生じない。そのため、収容部の一部を切り落としたのち、意図した方向に思うように内容物を押し出すことができる。手や衣服、テーブルなどを汚すことが避けられるほか、袋の製造コストがほとんど上昇しないという利点もある。
【考案を実施するための最良の形態】
【００１２】
考案の最良の形態としての袋（調味料袋）について、図１〜図５に基づき説明する。
図１(ａ)は、考案による調味料袋１の平面図で、同(ｂ)はその部分拡大図である。図２は、調味料袋１を開封した状態を示す平面図である。
【００１３】
図１の調味料袋１は、矩形のポリエチレン製のフィルムシートを二つ折りにしたうえ、図のように三辺を接合することにより収容部２を形成し、そこに、内容物である液体調味料を密封したものである。収容部２の周りは、フィルムが二つ折りにされてできた折返し辺２ａ（一辺）と、フィルム同士が接合されてできた接合部３（三辺。外縁は接合辺３ａ）とが囲んでいる。袋１の概略寸法は、外寸（縦×横）が６ｃｍ×６ｃｍ、接合辺３の幅が１ｃｍ、したがって収容部２の大きさが４ｃｍ×５ｃｍである。
【００１４】
接合部３のうち、折返し辺２ａに隣接する接合辺３ａにおける、折返し辺２ａ側から約２ｃｍの位置に、長さ３ｍｍの切込み４を斜めに設けている。切込み４の傾きは、その延長線が収容部と４５°で交わり、折返し辺２ａに向かうよう設定している。
【００１５】
調味料袋１を開封するときは、手指を用い、切込み４に沿って接合部３および収容部２を連続して切り裂く。接合部３に比べて切り裂く力が小さくて済む収容部２（折返し辺２ａ）で切り終えることになるので、図２のように、袋１の隅を完全に切り離すことが容易である。また、切り裂く距離（切り口５の長さ）が、袋１の辺に平行な場合には６ｃｍであるのに比べ、斜めに切ることで約２．８ｃｍと短くて済むので、切り口５が途中でそれたりギザギザになったりしにくい。したがって、収容部２に対する切り口５の角度は、切り口５の両端においてともに１３５°になる。
【００１６】
調味料は、収容部２から切り口５を通過するとき、両端の状態（切り口５の角度等）が同じになるので、流れ出る方向は切り口５とほぼ直角となる。したがって、袋１の向きを考えて開封すれば、思い通りの方向に調味料を出すことができる。
【００１７】
図３〜図５は、考案の別の形態である調味料袋２１・３１・４１の平面図である。
図３の袋２１は、フィルムを図示縦向きのチューブ状にしたうえ上下を圧着接合したもので、図において上下の二辺は接合部２３、左右の二辺は折返し辺２２ａである。この袋２１においても、切込み４は、図１の袋１と同様に、その延長線が収容部２２と４５°で交わり、折返し辺２２ａに向かうよう斜めに設けている。
図４の袋３１は、矩形のフィルムシートの両端を中央で合わせるよう両側部で折り畳んだもので、接合部３３は、上下の二辺のほかに中央部にもある。左右の二辺に折返し辺３２ａがある。この袋３１においても、切込み４は図１の例と同様の位置・角度に設けている。
図５の袋４１は三角形（正三角形）で、調味料を入れる収容部４２の一辺は折返し辺４２ａであり、他の二辺は密封のための接合部４３を有する接合辺である。切込み４４は、その延長線が収容部４２と６０°で交わるように設けている。したがって、袋４１の隅を完全に切り離したとき、切り口４５の両側は、収容部４２に対して図のようにともに１２０°の角度をなす。したがって、袋１と同様、調味料の流れ出る方向は切り口４５にほぼ直角となり、袋４１の向きを考えて開封すれば、思い通りの方向に調味料を出すことができる。
【００１８】
なお、袋の素材は、上記したポリエチレン(ＰＥ)に限らず、手で切り裂くことが難しくない素材であればよい。たとえば、ＰＥとＰＡ（ナイロン）、ＰＥとＰＥＴ(ポリエチレンテレフタレート)、ＰＥとＰＥＴとＰＡ、ＰＥとＰＥＴとＭ（アルミなどの金属類）、ＰＥとＭ、ＰＥとＭとＰＥＴなどの複合素材も考えられる。逆に、たとえば、ＰＰ(ポリプロピレン)とＰＡの複合素材などは、切り裂くときに切り口が伸びやすいので、手で開封してきれいな切り口にするのには不都合である。
さらに、袋の形状、サイズ、切込みの角度や位置、長さについても、上記の実施形態に限らない。マチ付きの袋でもよい。
また、調味料以外のものを収容する袋とすることも可能である。
【図面の簡単な説明】
【００１９】
【図１】図１(ａ)は、考案の一実施形態である調味料袋１の平面図で、同(ｂ)は、その部分拡大図である。
【図２】調味料袋１を開封した状態を示す平面図である。
【図３】考案の別の実施形態である調味料袋２１を示す平面図である。
【図４】考案のさらに別の実施形態である調味料袋３１を示す平面図である。
【図５】考案のさらに別の実施形態である調味料袋４１を示す平面図である。
【図６】図６(ａ)は、従来例である容器１’の斜視図で、同(ｂ)は、容器１’を開封した状態を示す平面図である。
【図７】図７(ａ)は、別の従来例である容器１１’の平面図であり、同(ｂ)は、容器１１’を開封した状態の一例を示す図で、同(ｃ)は、容器１１’を開封した状態の別の例を示す図である。
【符号の説明】
【００２０】
１・２１・３１・４１  調味料袋
２・２２・４２  収容部
２ａ・２２ａ・３２ａ・４２ａ  折返し辺
３・２３・３３・４３  接合部
３ａ  接合辺
４  切込み
５  切り口
【図１】
0003137369.tif 000003
【図２】
0003137369.tif 000004
【図３】
0003137369.tif 000005
【図４】
0003137369.tif 000006
【図５】
0003137369.tif 000007
【図６】
0003137369.tif 000008
【図７】
0003137369.tif 000009